(57)【要約】【課題】スローアウェイ式回転工具において、回転工具本体に設けた取付用ポケットに、シート部材を介してスローアウェイチップを強固に固定できるようにする。【解決手段】回転工具本体１０に設けた取付用ポケット１３に、シート部材２０を介してスローアウェイチップ３０を取り付けたスローアウェイ式回転工具において、シート部材にスローアウェイチップを保持する保持部２１を設け、スローアウェイチップの底面及び回転工具本体軸方向後端側の端面を保持部に接触させると共に、スローアウェイチップの回転工具本体内周側の端面を取付用ポケットに接触させ、スローアウェイチップから保持部を通して第１締結部材５０によりスローアウェイチップを取付用ポケットに固定させ、シート部材をスローアウェイチップとは別の第２締結部材６０により取付用ポケットに固定させた。【選択図】  図３
2004237382.tif 000002
【特許請求の範囲】
【請求項１】
回転工具本体に設けられた取付用ポケットに、シート部材を介してスローアウェイチップが取り付けられてなるスローアウェイ式回転工具において、上記のシート部材にスローアウェイチップを保持する保持部が設けられ、上記のスローアウェイチップの底面及びスローアウェイチップにおける回転工具本体軸方向後端側の端面がそれぞれこの保持部に接触するようにして保持されると共に、このスローアウェイチップにおける回転工具本体内周側の端面が取付用ポケットに接触されるようにした状態で、このスローアウェイチップの上面から上記の保持部を通して、第１締結部材によりスローアウェイチップが取付用ポケットに固定されると共に、上記のシート部材がスローアウェイチップとは別の部分において、第２締結部材により取付用ポケットに固定されていることを特徴とするスローアウェイ式回転工具。
【請求項２】
請求項１のスローアウェイ式回転工具において、回転工具本体に設けられた取付用ポケットにおける回転工具本体の軸方向後端部と、上記のシート部材における回転工具本体の軸方向後端部との間に、スペーサーが設けられてなることを特徴とするスローアウェイ式回転工具。
【請求項３】
請求項１又は請求項２記載のスローアウェイ式回転工具において、上記のシート部材が硬質物質で被覆されていることを特徴とするスローアウェイ式回転工具。
【発明の詳細な説明】
【０００１】
【発明の属する技術分野】
この発明は、スローアウェイチップを用いた正面フライスやエンドミル等のスローアウェイ式回転工具に係り、特に、回転工具本体に設けられた取付用ポケットに、シート部材を介してスローアウェイチップが取り付けられてなるスローアウェイ式回転工具において、スローアウェイチップを回転工具本体に設けられた取付用ポケットにがたつかないようにして強固に固定できるようにすることを課題とするものである。
【０００２】
【従来の技術】
従来、スローアウェイチップを用いた正面フライスやエンドミル等のスローアウェイ式回転工具において、スローアウェイチップを回転工具本体に取り付けるにあたっては、回転工具本体に設けられた取付用ポケットに、スローアウェイチップをネジ等の締結部材によって取り付けるようにしている。
【０００３】
ここで、回転工具本体に設けられた取付用ポケットに、スローアウェイチップを直接ネジ等の締結部材によって取り付けた場合、スローアウェイチップが破損すると、これにより回転工具本体が傷ついて、高価な回転工具本体が使用できなくなるおそれがあった。
【０００４】
このため、従来においては、上記の取付用ポケットにシート部材を介してスローアウェイチップを取り付け、このシート部材によってスローアウェイチップが破損した場合に、回転工具本体が直接傷つくのを防止することが行われている。
【０００５】
ここで、上記のように取付用ポケットにシート部材を介してスローアウェイチップを取り付けるにあたり、スローアウェイチップとシート部材とを１つの締結部材によって取付用ポケットに取り付けるようにすると、スローアウェイチップを交換する際に、常にシート部材が一緒に外れてしまい、シート部材を紛失するおそれがあり、またスローアウェイチップを取り付ける場合に、スローアウェイチップとシート部材とを一緒にして１つの締結部材により取付用ポケットに取り付けなければならず、作業が面倒であった。
【０００６】
このため、近年においては、図１に示すように、外周側にネジ部３ａが設けられると共に内周側にネジ孔３ｂが設けられた筒状の第１ネジ３を、シート部材２の中央に設けられた取付孔２ａを通して、回転工具本体１に設けられた取付用ポケット１ａの底面におけるネジ孔１ｂにねじ込み、この第１ネジ３によりシート部材２を回転工具本体１の取付用ポケット１ａに取り付け、その後、このシート部材２の上にスローアウェイチップ４をセットし、このスローアウェイチップ４の中央に設けられた取付孔４ａを通して第２ネジ５を上記の第１ネジ３の内周側のネジ孔３ｂにねじ込んで、スローアウェイチップ４をシート部材２の上に取り付けるようにしたものが提案されている（例えば、特許文献１参照。）。
【０００７】
しかし、このようにシート部材２を取付用ポケット１ａに取り付ける第１ネジ３の内周側に設けられたネジ孔３ｂに第２ネジ５をねじ込むようにした場合、この第２ネジ５としては径が小さいものを用いなければならず、スローアウェイチップ４を強固に取付用ポケット１ａに固定することが困難であり、また取付用ポケット１ａと第１ネジ３との間、及び第１ネジ３と第２ネジ５との間をそれぞれネジ止めするため、それぞれのネジ止め部分におけるがたつきが合わさって、スローアウェイチップ４をがたつきやすくなるという問題があった。
【０００８】
【特許文献１】
特開平１０−３３７６０８号公報
【０００９】
【発明が解決しようとする課題】
この発明は、スローアウェイチップを用いた正面フライスやエンドミル等のスローアウェイ式回転工具における上記のような問題を解決することを課題とするものであり、回転工具本体に設けられた取付用ポケットに、シート部材を介してスローアウェイチップを取り付けるようにしたスローアウェイ式回転工具において、スローアウェイチップががたついたりすることがなく、回転工具本体に設けられた取付用ポケットにスローアウェイチップを強固に固定できるようにすることを課題とするものである。
【００１０】
【課題を解決するための手段】
この発明においては、上記のような課題を解決するため、回転工具本体に設けられた取付用ポケットに、シート部材を介してスローアウェイチップが取り付けられてなるスローアウェイ式回転工具において、上記のシート部材にスローアウェイチップを保持する保持部を設け、上記のスローアウェイチップの底面及びスローアウェイチップにおける回転工具本体軸方向後端側の端面をそれぞれこの保持部に接触させるようにして保持させると共に、このスローアウェイチップにおける回転工具本体内周側の端面を取付用ポケットに接触させるようにし、この状態で、このスローアウェイチップの上面から上記の保持部を通して、第１締結部材によりスローアウェイチップを取付用ポケットに固定させると共に、上記のシート部材をスローアウェイチップとは別の部分において、第２締結部材により取付用ポケットに固定させるようにしたのである。
【００１１】
ここで、この発明におけるスローアウェイ式回転工具においては、上記のようにスローアウェイチップの上面からシート部材の保持部を通して第１締結部材により、スローアウェイチップを取付用ポケットに固定させると共に、この第１締結部材とは別の部分において、上記のシート部材を第２締結部材により取付用ポケットに固定させるようにしたため、シート部材を取り付ける第２締結部材とは別の第１締結部材によってスローアウェイチップが回転工具本体の取付用ポケットに固定されるようになり、スローアウェイチップを固定させるのに使用する第１締結部材の径を従来のように小さくする必要がなく、シート部材を介してスローアウェイチップを、回転工具本体の取付用ポケットにがたつかないようにして強固に取り付けることができるようになる。
【００１２】
また、この発明におけるスローアウェイ式回転工具においては、スローアウェイチップの底面及びスローアウェイチップにおける回転工具本体軸方向後端側の端面をそれぞれ保持部に接触させるようにして保持させると共に、このスローアウェイチップにおける回転工具本体内周側の端面を取付用ポケットに接触させるようにしたため、切削時において、スローアウェイチップががたつくのも防止されるようになる。
【００１３】
また、この発明におけるスローアウェイ式回転工具において、回転工具本体に設けられた取付用ポケットにおける回転工具本体の軸方向後端部と、上記のシート部材における回転工具本体の軸方向後端部との間に、スペーサーを設けるようにすると、上記のようにしてスローアウェイチップを回転工具本体の取付用ポケットに取り付けた場合に、取付用ポケットやシート部材やスローアウェイチップの設計誤差等により、スローアウェイチップの取付位置が回転工具本体の軸方向においてずれていたとしても、このスペーサーの厚みを調整することにより、スローアウェイチップを適切な位置にセットできるようになり、このスローアウェイ式回転工具における軸方向の振れを容易に防止できるようになる。
【００１４】
さらに、この発明におけるスローアウェイ式回転工具において、上記のシート部材を硬質物質で被覆させると、切屑やスローアウェイチップの破損によってシート部材が傷つくのが抑制されるようになる。
【００１５】
【発明の実施の形態】
以下、この発明の実施形態に係るスローアウェイ式回転工具を添付図面に基づいて具体的に説明する。なお、この発明に係るスローアウェイ式回転工具は下記の実施形態に示したものに限定されず、発明の要旨を変更しない範囲において、適宜変更して実施できるものである。
【００１６】
この実施形態においては、スローアウェイ式回転工具が正面フライスの場合について説明する。なお、この発明のスローアウェイ式回転工具はこのような正面フライスに限られず、エンドミル等においても利用することができる。
【００１７】
ここで、この実施形態における正面フライスにおいては、図２〜図４に示すように、回転工具本体１０の中心部にアーバー（図示せず）に取り付けるための貫通孔１１が設けられており、また軸方向先端の外周部には５つの切屑ポケット１２が周方向に所要間隔を介して設けられ、各切屑ポケット１２における回転方向下流側の部分にそれぞれ取付用ポケット１３が設けられている。
【００１８】
そして、各取付用ポケット１３にそれぞれシート部材２０を介してスローアウェイチップ３０が取り付けられると共に、各取付用ポケット１３における回転工具本体軸方向後端部と、上記の各シート部材２０における回転工具本体軸方向後端部との間に、それぞれスペーサー４０が設けられている。
【００１９】
ここで、上記のスローアウェイチップ３０としては、図５（Ａ），（Ｂ）に示すように、正面が略正方形状で、その中央部に第１ネジ（第１締結部材）５０を通す皿孔からなる取付孔３１が設けられたものを用いている。
【００２０】
また、上記のシート部材２０としては、図６に示すように、上記のスローアウェイチップ３０を保持する保持部２１が凹設されて段差状に形成されると共に、硬質物質のＴｉＮで被覆されたものを用いている。
【００２１】
そして、このシート部材２０においては、上記の保持部２１の中央部に、スローアウェイチップ３０の取付孔３１と対応するようにして、上記の第１ネジ５０を通す貫通孔２１ａが設けられると共に、この保持部２１の上端に位置する上段部２２の中央部に、第２ネジ（第２締結部材）６０を通す取付孔２２ａが設けられている。
【００２２】
また、上記のスペーサー４０としては、例えば、厚みが５μｍ単位で異なるものを複数種用意しておき、適当な厚みのスペーサー４０を適宜選択して用いるようにする。
【００２３】
ここで、この実施形態における正面フライスにおいては、先ず、上記のスペーサー４０を上記の取付用ポケット１３における回転工具本体軸方向後端部にダブルネジ（図示せず）等によって取り付けるようにする。
【００２４】
次いで、上記のシート部材２０における回転工具本体軸方向後端側の端面を上記のスペーサー４０に当接させると共に、このシート部材２０における回転工具本体内周側の端面を取付用ポケット１３の回転工具本体内周側の壁面に接触させるようにし、このシート部材２０の上段部２２に設けられた取付孔２２ａに第２ネジ６０を通し、この第２ネジ６０によってシート部材２０を取付用ポケット１３に取り付けるようにする。
【００２５】
また、このように取付用ポケット１３に取り付けられたシート部材２０の保持部２１に上記のスローアウェイチップ３０の底面を接触させると共に、この保持部２１における段差部分に、スローアウェイチップ３０の回転工具本体軸方向後端側の端面を接触させて、スローアウェイチップ３０をシート部材２０の保持部２１に保持させると共に、このスローアウェイチップ３０における回転工具本体内周側の端面を取付用ポケット１３の回転工具本体内周側の壁面に接触させるようにする。
【００２６】
そして、この状態で、スローアウェイチップ３０の上面から第１ネジ５０を、スローアウェイチップ３０に設けた取付孔３１及びシート部材２０の保持部２１に設けた貫通孔２１ａに通し、この第１ネジ５０によりシート部材２０の保持部２１を介してスローアウェイチップ３０を取付用ポケット１３に取り付けるようにする。
【００２７】
このように、シート部材２０を取付用ポケット１３に取り付ける第２ネジ６０とは別に、スローアウェイチップ３０を上記の第１ネジ５０によって取付用ポケット１３に取り付けるようにすると、この第１ネジ５０の径を従来のように小さくする必要がなく、シート部材２０を介してスローアウェイチップ３０を、回転工具本体１０の取付用ポケット１３にがたつかないようにして強固に取り付けることができる。
【００２８】
また、上記のようにスローアウェイチップ３０の底面及びスローアウェイチップ３０における回転工具本体軸方向後端側の端面をそれぞれ保持部２１に接触させて保持させると共に、このスローアウェイチップ３０における回転工具本体内周側の端面を取付用ポケットの回転工具本体内周側の壁面に接触させると、この実施形態における正面フライスを用いて切削を行った場合においても、スローアウェイチップ３０ががたつくのが防止される。
【００２９】
なお、上記のようにして回転工具本体１０に設けられた各取付用ポケット１３に、シート部材２０を介してスローアウェイチップ３０を取り付けた場合において、各スローアウェイチップ３０における回転工具本体軸方向先端の位置にずれがある場合には、取付用ポケット１３における回転工具本体軸方向後端部と、シート部材２０における回転工具本体軸方向後端部との間に設けるスペーサー４０の厚みを変更させて、各スローアウェイチップ３０における回転工具本体軸方向先端の位置が揃うように調整する。
【００３０】
【発明の効果】
以上詳述したように、この発明に係るスローアウェイ式回転工具においては、回転工具本体に設けられた取付用ポケットに、シート部材の保持部を介してスローアウェイチップを第１締結部材により固定させると共に、上記のシート部材をスローアウェイチップとは別の部分において、第２締結部材により取付用ポケットに固定させるようにしたため、スローアウェイチップを固定させるのに使用する第１締結部材の径を従来のように小さくする必要がなく、スローアウェイチップをシート部材を介して回転工具本体の取付用ポケットにがたつかないように強固に取り付けることができるようになった。
【００３１】
また、この発明におけるスローアウェイ式回転工具においては、スローアウェイチップの底面及びスローアウェイチップにおける回転工具本体軸方向後端側の端面をそれぞれ保持部に接触させて保持させると共に、このスローアウェイチップにおける回転工具本体内周側の端面を取付用ポケットに接触させるようにしたため、切削時において、スローアウェイチップががたつくのも防止されるようになった。
【図面の簡単な説明】
【図１】従来のスローアウェイ式回転工具において、回転工具本体に設けられた取付用ポケットに、シート部材を介してスローアウェイチップを取り付ける状態を示した部分説明図である。
【図２】この発明の一実施形態に係るスローアウェイ式回転工具を先端側から見た状態を示した概略説明図である。
【図３】同実施形態に係るスローアウェイ式回転工具において、回転工具本体に設けられた取付用ポケットに、シート部材を介してスローアウェイチップを取り付けた状態を正面から見た部分断面説明図である。
【図４】同実施形態に係るスローアウェイ式回転工具において、回転工具本体に設けられた取付用ポケットに、シート部材を介してスローアウェイチップを取り付けた状態を側面から見た部分説明図である。
【図５】同実施形態に係るスローアウェイ式回転工具に使用したスローアウェイチップの正面図及び側面図である。
【図６】同実施形態に係るスローアウェイ式回転工具に使用したシート部材の正面図及び側面図である。
【符号の説明】
１０  回転工具本体
１３  取付用ポケット
２０  シート部材
２１  保持部
２１ａ  貫通孔
２２  上段部
２２ａ  取付孔
３０  スローアウェイチップ
３１  取付孔
４０  スペーサー
５０  第１ネジ（第１締結部材）
６０  第２ネジ（第２締結部材）
【図１】
2004237382.tif 000003
【図２】
2004237382.tif 000004
【図３】
2004237382.tif 000005
【図４】
2004237382.tif 000006
【図５】
2004237382.tif 000007
【図６】
2004237382.tif 000008